(57)【特許請求の範囲】
【請求項１】
測量用の目盛を表示する棒状のスタッフを支持するスタッフ支持部材と、
前記スタッフ支持部材に取り付けられて、前記スタッフ支持部材に支持されたスタッフを照明する照明器と、
前記スタッフ支持部材に取り付けられて、前記照明器に電力を供給する電力供給器と、
を備える測量スタッフ用照明装置であって、
前記スタッフ支持部材は、
前記スタッフを挟持するための２つの側板部を有する断面コの字状の支持部材本体部と、
前記支持部材本体部の２つの前記側板部の一方の側板部に取り付けられた、前記スタッフに対応する長さを有し、断面Ｌ字状である照明器支持部と、
を有しており、
前記照明器支持部は、その断面Ｌ字状の一方の平板部が、前記支持部材本体部の一方の側板部の端部から、この側板部に対して所定の鈍角をなすように、かつ、当該照明器支持部の他方の平板部が内側に折り曲げられた状態となるように、前記支持部材本体部に固定されており、
前記照明器支持部の他方の平板部の内側面に前記照明器が取付けられており、
前記スタッフ支持部材は、弾性部材の引張力によって前記スタッフを固定するように構成されている、
測量スタッフ用照明装置。
【請求項２】
請求項１に記載の測量スタッフ照明装置において、前記支持部材本体部の２つの前記側板部の内壁面に弾性材料からなる支持補助部材が取付けられている測量スタッフ用照明装置。
【請求項３】
請求項１または２に記載の測量スタッフ照明装置において、前記電力供給器が前記支持部材本端部の背面側に固定されている測量スタッフ用照明装置。
【発明の詳細な説明】
【技術分野】
【０００１】
本発明は、測量に使用するスタッフを照明する装置に関する。
【背景技術】
【０００２】
従来、測量は、位置および高度を測量することが一般的であり、そのための種々の方法、装置が提案されている。例えば、水準測量においては、測量作業者が、望遠機能を有する水準測量器から目視によって測量スタッフの目盛を読み取っている。（例えば、特許文献１参照）。
【先行技術文献】
【特許文献】
【０００３】
【特許文献１】特開平６−４２９６７号公報
【発明の概要】
【発明が解決しようとする課題】
【０００４】
しかし、夜間における測量や、地下環境における測量等、暗い条件下での測量においては、測量スタッフを懐中電灯等で照明する必要があり、作業効率や人員確保の点から問題となっていた。
【０００５】
そこで、本発明の目的は、上記の課題を解決すべく、夜間のような暗い環境下でも効率的に測量作業を行うための測量スタッフ用照明装置を提供することにある。
【課題を解決するための手段】
【０００６】
上記目的を達成するために、本発明に係る測量スタッフ用照明装置は、測量用の目盛を表示する棒状のスタッフを支持するスタッフ支持部材と、前記スタッフ支持部材に取り付けられて、前記スタッフ支持部材に支持されたスタッフを照明する照明器と、前記スタッフ支持部材に取り付けられて、前記照明器に電力を供給する電力供給器とを備えている。
【０００７】
この構成によれば、測量スタッフに照明器を容易に取り付けることができるので、夜間のような暗い環境下でも、懐中電灯など他の照明器具を使用することなく測量作業を行うことができる。したがって、暗い環境下における測量作業を効率的に行うことができる。
【０００８】
本発明の一実施形態において、前記スタッフ支持部材は、弾性部材の引張力によってスタッフを固定することが好ましい。この構成によれば、測量スタッフへの照明器等の取り付け、取り外し作業を片手で行うことが可能となり、測量作業を一層効率化することができる。
【０００９】
本発明の一実施形態において、前記スタッフ支持部材が、スタッフを挟持する２つの側板部を有しており、これら側板部の内壁面に弾性材料からなる支持補助部材が取付けられていることが好ましい。この構成によれば、より確実にスタッフを支持することが可能になる。
【発明の効果】
【００１０】
本発明によれば、夜間のような暗い環境下でも効率的に測量作業を行うことが可能となる。
【図面の簡単な説明】
【００１１】
【図１】本発明の第１実施形態に係る測量スタッフ用照明装置を示す正面図である。
【図２】図１の測量スタッフ用照明装置を示す右側面図である。
【図３】図１の測量スタッフ用照明装置を示す平面図である。
【図４】図１の測量スタッフ用照明装置を示す左側面図である。
【図５】図１の測量スタッフ用照明装置を示す底面図である。
【図６】図１の測量スタッフ用照明装置を示す背面図である。
【図７】図１の測量スタッフ用照明装置に用いられるスタッフ支持部材を模式的に示す平面図である。
【発明を実施するための形態】
【００１２】
以下，本発明の好ましい実施形態を図面に基づいて説明する。図１に、本発明の一実施形態に係る測量スタッフ用照明装置１を示す。この測量スタッフ用照明装置１は、水準測量のような測量作業に使用されるものであり、測量作業者が、望遠機能を有する水準測量器から目視によって測量に必要な数値等を読み取るターゲットとなる測量スタッフＳを照明するためのものである。
【００１３】
図２に示すように、測量スタッフ用照明装置１は、測量用の目盛を表示する棒状のスタッフＳを支持するスタッフ支持部材３と、スタッフ支持部材３に取り付けられて、スタッフ支持部材３に支持されたスタッフＳを照明する照明器７と、スタッフ支持部材３に取り付けられて、照明器７に電力を供給する電力供給器９とを備えている。
【００１４】
照明器７と電力供給器９とは、いずれもスタッフ支持部材３に取り付けられている。より具体的には、図３に示すように、スタッフ支持部材３は、断面コの字状の支持部材本体部１３と、支持部材本体部１３の背面下部に突設された電源支持部１５と、支持部材本体部１３の２つの側板部１３ａ，１３ｂの一方の側板部１３ａに取り付けられた断面Ｌ字状の照明器支持部１７とを有している。
【００１５】
図１に示すように、照明器支持部１７は、測量スタッフＳにほぼ対応する長さを有している。図３に示すように、照明器支持部１７は、その断面Ｌ字状の一方の平板部１７ａが、側板部１３ａの端部１３ａａから、側板部１３ａに対して所定の鈍角（この例では約１３５°）をなすように、かつ、照明器支持部１７の他方の平板部１７ｂが内側に約９０°折り曲げられた状態となるように、支持部材本体部１３に固定されている。照明器支持部１７の他方の平板部（照明器支持平板部）１７ｂの内側面に照明器７が取付けられている。本実施形態では、照明器支持平板部１７ｂの照明器取付面の垂線が、スタッフ支持部材３の表示部の表面とのなす角θがほぼ４５°となるように設定されている。
【００１６】
照明器７としては、スタッフ支持部材３に支持されるスタッフＳを照明することができれば、例えば白熱灯や蛍光灯など、どのような装置、素子を用いてもよいが、本実施形態では、ＬＥＤ素子を用いている。より具体的には、複数のＬＥＤ素子を照明器支持部１７の長手方向に並べて配置したＬＥＤチューブを使用している。照明器７としてＬＥＤ素子を用いることにより、必要な輝度を確保しつつ、消費電力、寸法、重量を抑制することができる。
【００１７】
電力供給器９は、支持部材本体部１３の背面下部に突設された電源支持部１５にねじ止めされている。もっとも、電力供給器９の支持部材本体部１３への固定は、任意の方法、例えば接着によって行ってもよい。電力供給器９としては、照明器７を作動させることが可能であり、かつ可搬性を有するものであれば、例えば一次電池など、どのような装置、素子を用いてもよい。本実施形態では、電力供給器９として、繰り返し充放電の可能な二次電池であるリチウムイオン二次電池を用いている。本実施形態に係る測量スタッフ用照明装置１は、夜間の測量作業に用いられることが想定されるので、一晩の継続使用のために７〜８時間程度時間連続して使用できることが好ましい。重量当たりのエネルギー密度および体積当たりのエネルギー密度が高い二次電池であるリチウムイオン二次電池を使用することにより、測量スタッフ用照明装置１全体の重量およびサイズを抑制しつつ、十分な連続作動時間を確保することができる。図４に示すように、電力供給器９はケーブル１９によって照明器７に接続されている。
【００１８】
電力供給器９は、上述のリチウムイオン二次電池のような電源素子等および、これに必要な充電回路などの付属部品を樹脂ケースに収納して形成されている。図５に示すように、電力供給器９の外面（図示の例では底面）には、必要に応じて、電源スイッチ２０や充電端子２１が設けられる。また、図６に示すように、電力供給器９の外面（図示の例では背面）には、必要に応じて、電源ランプ２２が設けられる。
【００１９】
図３に示すように、スタッフ支持部材３は、２つの側板部１３ａ，１３ｂの内壁面１３ａａ，１３ｂａ間に、スタッフＳを挟持することにより支持する。より具体的には、スタッフ支持部材３は、弾性部材の引張力によってスタッフＳを支持する。図７に示すように、スタッフ支持部材３の支持部材本体部１３の背面にバネ保持用突起対２５が２対設けられており、各突起対２５間に、弾性部材である圧縮ばね２７が、伸長状態で保持されている。支持部材本体部１３は、弾性変形可能な素材で形成されている。さらに、支持部材本体部１３の２つの側板部１３ａ，１３ｂの内壁面１３ａａ，１３ｂａには、それぞれ、弾性材料からなる支持補助部材２９が取付けられている。本実施形態では、支持補助部材２９としてゴム板が、２つの側板部１３ａ，１３ｂの内壁面１３ａａ，１３ｂａに貼り付けることにより取り付けられている。したがって、支持部材本体部１３の２つの側板部１３ａ，１３ｂ間に配置されるスタッフ支持部材３は、圧縮ばね２７の引張力によって、側板部１３ａ，１３ｂ間に固定される。スタッフＳを挟持する２つの側板部１３ａ，１３ｂの内壁面１３ａａ，１３ｂａ間の寸法は、支持対象となるスタッフＳの仕様等に応じて適宜設定してよいが、本実施形態では、５５ｍｍ〜７５ｍｍとしている。
【００２０】
なお、支持部材本体部１３を形成する弾性変形可能な素材として、本実施形態では、厚さ１ｍｍの鉄板を使用している。このほかにも、支持部材本体部１３を形成する弾性変形可能な素材として、厚さ０．５ｍｍ〜２ｍｍ程度の種々の金属、樹脂等からなる板材を使用することができる。
【００２１】
このように、スタッフＳを弾性部材の引張力によってスタッフ支持部材３に固定することにより、スタッフＳに対するスタッフ支持部材３を介しての照明器７等の取り付け、取り外し作業を片手で行うことが可能となり、測量作業を一層効率化することができる。もっとも、スタッフＳのスタッフ支持部材３への固定は、上記の例に限らず、任意の固定部材、例えば、ねじ部材によって行ってもよい。
【００２２】
さらに、スタッフＳを挟持する側板部１３ａ，１３ｂの内壁面１３ａａ，１３ｂａに、弾性材料からなる支持補助部材２９を取り付けたので、より確実にスタッフＳを支持することが可能になる。
【００２３】
以上説明したように、本実施形態に係る測量スタッフ用照明装置１によれば、これをスタッフＳに取り付けることにより、夜間のような暗い環境下でも、懐中電灯など他の照明器具を使用することなく測量作業を行うことができる。したがって、暗い環境下における測量作業を効率的に行うことができる。
【００２４】
以上のとおり、図面を参照しながら本発明の好適な実施形態を説明したが、本発明の趣旨を逸脱しない範囲内で、種々の追加、変更または削除が可能である。したがって、そのようなものも本発明の範囲内に含まれる。
【符号の説明】
【００２５】
１  測量スタッフ用照明装置
３  スタッフ支持部材
７  照明器
９  電力供給器
１３  支持部材本体部
１３ａ，１３ｂ  側板部
２７  圧縮ばね（弾性部材）
２９  支持補助部材
Ｓ  測量スタッフ
【図１】
0006499855.tif 000002
【図２】
0006499855.tif 000003
【図３】
0006499855.tif 000004
【図４】
0006499855.tif 000005
【図５】
0006499855.tif 000006
【図６】
0006499855.tif 000007
【図７】
0006499855.tif 000008